(57)【特許請求の範囲】
【請求項１】
観察窓が配置された先端部に電気的絶縁部材からなるキャップを被せる内視鏡先端部構造において、
上記観察窓に対して送気／送水をするためのノズルであって、ノズル先端部材と、ネジ部が形成された支持管とからなり、この支持管のネジ部を上記先端部の支持体に螺合結合したとき、上記キャップを押さえて固定する構造を持つノズルを備え、
このノズルと固定ネジとを上記観察窓が配置された面の鉗子口を挟む位置に配置し、これら二つの部材を用いて上記キャップを先端部支持体に固定することを特徴とする内視鏡先端部構造。
【請求項２】
上記ノズル支持管の頭部側につば状突起を設け、かつ上記キャップには段差面を有する開口を設け、この開口の段差面に上記ノズルのつば状突起を押圧することにより、上記キャップを上記先端部支持体に固定することを特徴とする請求項１記載の内視鏡先端部構造。
【発明の詳細な説明】
【０００１】
【発明の属する技術分野】
本発明は内視鏡先端部、特に観察窓及びこの観察窓に対し送気／送水をするためのノズルを備え、外皮キャップを被せる先端部の構造に関する。
【０００２】
【従来の技術】
従来から、内視鏡の先端部には、観察窓、ライトガイド、鉗子口等の各種の部材の配置を確保した上で外部との間において電気的絶縁状態を維持するため、合成樹脂製キャップが被せられる。
【０００３】
図４には、従来の内視鏡先端部の先端面が示されており、図示されるように、先端部１の先端面では、対物光学系の観察窓２、ライトガイドに接続された照射窓３Ａ,３Ｂ、処置具挿通チャンネルの出口である鉗子口４、上記観察窓２に送気／送水をするためのノズル５が配設される。そして、この先端面では上記の各部材を外部に露出させた状態でキャップ６が接着剤等を用いて取り付けられるが、このキャップ６は外部との間で電気的絶縁を図るために合成樹脂製を材料とし、固定ネジ７で支持体（１Ａ）に固定される。
【０００４】
図５には、上記の鉗子口４とノズル５の部分の断面（側面図）構成が示されており、図（Ａ）に示されるように、上記処置具挿通チャンネル８は先端部支持体１Ａに取り付けられ、このチャンネル８の出口にキャップ６の開口（６Ａ）が配置されて鉗子口４が形成される。また、図（Ｂ）に示されるように、送気／送水管９が上記支持体１Ａに取り付けられ、この送気／送水管９に連結するように上記ノズル５が接着剤等で支持体１Ａに固定される。
【０００５】
【発明が解決しようとする課題】
しかしながら、上記の内視鏡先端部の構造では、上述したキャップ６が接着剤と一つのネジ７で固定されており、接着、固定が不十分となる場合があるという問題があった。即ち、内視鏡先端面では図４からも理解されるように、配置部材が多いことから、一つの固定ネジ７を用いる場合でもその配置は中心部ではなく、周辺部の偏った場所になる傾向があり、このネジ７から遠い部分で剥がれ等が生じ易い。
【０００６】
一方、図４に示したもう一つのネジ７Ｂを観察窓３Ｂの下側等に配置することも考えられるが、この場合は、このネジ７Ｂの新たな配置空間が必要となり、内視鏡の径が大きくなってしまう。
【０００７】
また、図４で説明した鉗子口４においては、処置具挿通チャンネル８で導かれた処置具が通ることになり、この処置具が出入りする際にキャップ６の孔部分に接触する。従って、この処置具の導出又は引戻し動作が繰り返されることにより、鉗子口４の周辺部分からキャップ６が剥がれることが起き得る。
【０００８】
本発明は上記問題点に鑑みてなされたものであり、その目的は、固定ネジの数を増やさずに、現状の部材の配置でキャップの取付け固定が確実に行える内視鏡先端部構造を提供することにある。
【０００９】
【課題を解決するための手段】
上記目的を達成するために、請求項１に係る発明は、観察窓が配置された先端部に電気的絶縁部材からなるキャップを被せる内視鏡先端部構造において、上記観察窓に対して送気／送水をするためのノズルであって、ノズル先端部材と、ネジ部が形成された支持管とからなり、この支持管のネジ部を上記先端部支持体に螺合結合したとき、上記キャップを押さえて固定する構造を持つノズルを備え、このノズルと固定ネジとを上記観察窓が配置された面の鉗子口を挟む位置に配置し、これら二つの部材を用いて上記キャップを先端部支持体に固定することを特徴とする。
【００１０】
請求項２に係る発明は、上記ノズル支持管の頭部側につば状突起を設け、かつ上記キャップには段差面を有する開口を設け、この開口の段差面に上記ノズルのつば状突起を押圧することにより、上記キャップを上記先端部支持体に固定することを特徴とする。
【００１１】
上記の構成によれば、ノズルを構成する支持管にネジ部を形成しかつその支持管の頭部側外周部につば状の係合突起を形成することにより、この支持管を先端部に取り付けたとき、上記つば状突起でキャップを固定することができる。この支持管には、後にノズル先端部材が取り付けられる。そして、上記キャップの固定のために固定ネジも用いられ、この固定ネジと上記ノズルが鉗子口を挟む位置に配置される。
【００１２】
このようにして、先端部キャップはノズルと固定ネジの両方で固定されることになり、確実な固定を実現することができ、上記のように鉗子口を中間に挟めば、処置具の出し入れでキャップが外れ易くなることも防止される。
【００１３】
【発明の実施の形態】
図１乃至図３には、実施形態例に係る内視鏡先端部の構造が示されており、図２は図１のI−I線断面図、図３（Ａ），（Ｂ）は図１のII−II線断面図、図３（Ｃ）は図１のIII−III線断面図である。図１に示されるように、先端部１０（支持体１１）の先端面には、従来と同様に対物光学系の観察窓２、ライトガイドに接続された照射窓３Ａ,３Ｂ、処置具挿通チャンネルの出口である鉗子口４、上記観察窓２に送気／送水をするためのノズル１２が配設される。そして、固定ネジ１４が上記ノズル１２と共に上記鉗子口４を挟む位置に配置される。
【００１４】
図２に示されるように、上記観察窓２には対物光学系部材１６が接続され、この対物光学系部材１６は支持体１１に固定されており、この対物光学系部材１６にプリズム１７を介して、ＣＣＤ１８を内部に配置したＣＣＤパッケージ１９が接続される。このＣＣＤパッケージ１９の上側奥に見える部材２０は、上記照射窓３Ａに接続されるライトガイドである。また、上記支持体１１には処置具挿通チャンネル８が取り付けられ、この処置具挿通チャンネル８の先端出口が上記の鉗子口４となる。
【００１５】
そして、この支持体１１の外周に合成樹脂製の外皮２１が被せられると共に、先端面側には合成樹脂製のキャップ２２が接着剤等を用いて取り付けられ、上記の外皮２１とキャップ２２によって外部に対し電気的絶縁を図るようになっている。なお、このキャップ２２は鉗子口４となる開口２２Ａ等を備えている。
【００１６】
また、上記ノズル１２は図３（Ａ），（Ｂ）に示されるように、ネジ式の固定構造を有するものとされる。即ち、このノズル１２は合成樹脂製からなるノズル先端部材２４と支持管２５で構成され、この支持管２５の外周に雄ネジ部２５Ａが形成されると共に、頭部側につば状の係合突起２５Ｂが設けられる。一方、支持体１１側には、雌ネジ部２７Ａが形成された取付け孔２７が形成され、この取付け孔２７に送気／送水管２８が取り付け、接続される。
【００１７】
更に、上記キャップ２２には段差面（係合面）Ｅを有する開口２２Ｂが設けられる。従って、図３（Ｂ）に示されるように、上記ノズル１２の支持管２５を上記支持体１１の取付け孔２７に螺合結合すると、上記係合突起２５Ｂが上記開口２２Ｂの段差面Ｅに係合・押圧してキャップ２２をしっかりと固定することができる。そして、上記ノズル１２の先端部材２４は後に接着剤等を用いて上記支持管２５の頭部側に接着固定される。
【００１８】
また、上記固定ネジ１４は、図３（Ｃ）に示されるように、支持体１１に螺合結合してキャップ２２を押圧固定することができる。このキャップ２２における固定ネジ１４の配置穴は、接着剤３０等を充填して外部と電気的に絶縁することが好ましい。
【００１９】
以上のように、実施形態例のキャップ２２は接着剤を用いながら、鉗子口４を挟んで配置されたノズル支持管（ノズル部材）２５と固定ネジ１４の両方により取り付け固定される。従って、上記図４の従来のように、一つの固定ネジ（７）を用いた場合と比較すると、確実で強固な固定状態が得られることになる。また、これらの固定部材が鉗子口４を挟む位置に配置されるので、処置具挿通チャンネル８を用いて処置具の導出、引戻しを行うことにより、キャップ２２の鉗子口４の部分から当該キャップ２２の剥離、外れ等が生じることも防止できるという利点がある。
【００２０】
なお、上記実施形態例では、固定効果のあるノズル部材として支持管２５を用いたが、例えばこの支持管２５とノズル先端部材２４を一体形成し、このノズル先端部材の突出部でキャップ２２を押さえるようにしてもよい。
【００２１】
【発明の効果】
以上説明したように、請求項１の発明によれば、ノズル先端部材と、ネジ部が形成された支持管とからなり、この支持管のネジ部を先端部支持体に螺合結合したとき、キャップを押さえて固定する構造を持つノズルを備え、このノズルと固定ネジとを上記観察窓が配置された面の鉗子口を挟む位置に配置し、これら二つの部材を用いて上記キャップを先端部支持体に固定するようにしたので、固定ネジの数を増やさずに、現状の部材の配置でキャップの取付け固定が確実に行えるという利点がある。そして、鉗子口周辺のデッドスペースを有効に活用し、先端径を大きくすることなく信頼性を向上できる。
【００２２】
また、上記ノズルと固定ネジを鉗子口を挟む位置に配置したので、処置具の出し入れが原因で鉗子口部分からキャップが外れることを防止することが可能となる。

【図面の簡単な説明】
【図１】本発明の実施形態例に係る内視鏡先端部の先端面の構造を示す図である。
【図２】図１のＩ−Ｉ線の切断断面図である。
【図３】図１の側面断面図で、図（Ａ），（Ｂ）は図１のII−II線の切断断面図、図（Ｃ）は図１のIII−III線の切断断面図である。
【図４】従来における内視鏡先端部の先端面の構造を示す図である。
【図５】図４の側面断面図で、図（Ａ）は図４のIV−IV線の切断断面図、図（Ｂ）は図４のＶ−Ｖ線の切断断面図である。
【符号の説明】
１，１０  …  内視鏡先端部、
４  …  鉗子口、
５，１２  …  ノズル、
６，２２  …  キャップ、
７，１４  …  固定ネジ、
２４  …  ノズル先端部材、
２５  …  支持管、２５Ａ  …  雄ネジ部、２５Ｂ  …  係合突起、
２７  …  取付け孔、２７Ａ  …  雌ネジ部。
【図１】
0004063955.tif 000002
【図２】
0004063955.tif 000003
【図３】
0004063955.tif 000004
【図４】
0004063955.tif 000005
【図５】
0004063955.tif 000006